(57)【要約】  情報記録装置（１）は、設定値に応じた記録パワーのレーザ光を情報記録媒体（１００）に照射して情報記録媒体に記録情報を記録する記録手段（３１０）と、記録手段において、設定値を変化させながら記録された試し記録情報を再生することにより、設定値と再生品質との相関を表す相関情報を作成するとともに、所望の再生品質であるターゲット再生品質が得られる基準設定値を求める算出手段（３４０）と、記録手段において、基準設定値を用いて記録された記録情報を再生することにより、再生品質を測定する測定手段（３３０）と、測定手段が測定した再生品質と、ターゲット再生品質とが異なる場合、相関情報に基づいて基準設定値の修正量を求め、且つ修正量に基づく修正後の設定値が新たな基準設定値となるように基準設定値を修正する修正手段（４００）とを有する。
2005034109.tif 000002
【特許請求の範囲】
【請求項１】
設定値に応じた記録パワーのレーザ光を情報記録媒体に照射して当該情報記録媒体に記録情報を記録する記録手段と、
前記記録手段において、前記設定値を変化させながら記録された試し記録情報を再生することにより、前記設定値と再生品質との相関を表す相関情報を作成するとともに、所望の再生品質であるターゲット再生品質が得られる基準設定値を求める算出手段と、
前記記録手段において、前記基準設定値を用いて記録された記録情報を再生することにより、前記再生品質を測定する測定手段と、
前記測定手段が測定した再生品質と、前記ターゲット再生品質とが異なる場合、前記相関情報に基づいて前記基準設定値の修正量を求め、且つ該修正量に基づく修正後の設定値が新たな基準設定値となるように前記基準設定値を修正する修正手段と
を有することを特徴とする情報記録装置。
【請求項２】
前記修正手段は、所定の修正量ずつ段階的に前記基準設定値を修正することを特徴とする請求の範囲第１項に記載の情報記録装置。
【請求項３】
前記所定の修正量の大きさは可変であることを特徴とする請求の範囲第２項に記載の情報記録装置。
【請求項４】
前記修正手段は、前記基準設定値の修正量が所定量以下のときは、前記基準設定値を修正しないことを特徴とする請求の範囲第１項に記載の情報記録装置。
【請求項５】
前記修正手段は、前記記録手段が所定量の記録情報を記録するごとに又は所定時間ごとに、前記基準設定値を修正することを特徴とする請求の範囲第１項に記載の情報記録装置。
【請求項６】
前記再生品質は、アシンメトリ値、ジッタ値、再生エラーレートの少なくとも１つを含む再生品質であることを特徴とする請求の範囲第１項に記載の情報記録装置。
【請求項７】
前記測定手段は、測定直前に前記記録手段によって記録された記録情報の再生品質を測定することを特徴とする請求の範囲第１項に記載の情報記録装置。
【請求項８】
前記算出手段により求められた相関情報および基準設定値の情報のうち少なくとも一方を前記情報記録媒体に記録するように前記記録手段を制御する制御手段をさらに備えることを特徴とする請求の範囲第１項に記載の情報記録装置。
【請求項９】
設定値に応じた記録パワーのレーザ光を情報記録媒体に照射して当該情報記録媒体に記録情報を記録する記録工程と、
前記記録工程において、前記設定値を変化させながら記録された試し記録情報を再生することにより、前記設定値と再生品質との相関を表す相関情報を作成するとともに、所望の再生品質であるターゲット再生品質が得られる基準設定値を求める算出工程と、
前記記録工程において、前記基準設定値を用いて記録された記録情報を再生することにより、前記再生品質を測定する測定工程と、
前記測定工程において測定された再生品質と、前記ターゲット再生品質とが異なる場合、前記相関情報に基づいて、前記基準設定値の修正量を求め、且つ該修正量に基づく修正後の設定値が新たな基準設定値となるように前記基準設定値を修正する修正工程と
を有することを特徴とする情報記録方法。
【請求項１０】
請求の範囲第１項に記載の情報記録装置と、
前記情報記録媒体から前記記録された情報を再生する再生手段と
を備えることを特徴とする情報記録再生装置。
【請求項１１】
請求の範囲第９項に記載の情報記録方法と、
前記情報記録媒体から前記記録された情報を再生する再生工程と
を備えることを特徴とする情報記録再生方法。
【請求項１２】
請求の範囲第１項に記載の情報記録装置に備えられたコンピュータを制御する記録制御用のコンピュータプログラムであって、該コンピュータを、前記記録手段、前記算出手段、前記測定手段及び前記修正手段のうち少なくとも一部として機能させることを特徴とするコンピュータプログラム。
【請求項１３】
請求の範囲第１０項に記載の情報記録再生装置に備えられたコンピュータプログラムを制御する記録再生制御用のコンピュータプログラムであって、該コンピュータを、前記情報記録装置及び前記再生手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法や情報記録再生装置及び方法、並びにコンピュータをこのような情報記録装置又は情報記録再生装置として機能させるコンピュータプログラムの技術分野に関する。
【背景技術】
【０００２】
例えば、光ディスク等の情報記録媒体を記録する情報記録再生装置においては、光ディスクの種類、情報記録再生装置の種類及び記録速度等に応じて、ＯＰＣ（Optimum Power Calibration）処理により、記録パワーにおける最適パワーが設定される。即ち、記録パワーのキャリブレーション（較正）が行われる。これにより、適切な記録動作を実現できる。例えば、光ディスクが装填されて書き込みのコマンドが入力されると、順次段階的に光強度が切り換えられて試し書き用のデータがパワーキャリブレーションエリアに記録され、いわゆる試し書きの処理が実行される。その後、このようにして記録された試し書き用のデータが再生され、この再生結果が所定の評価基準により判定されて、最適パワーが設定される。また、特許文献１に示す情報記録装置では、ＯＰＣにより求めた記録パワーを、実際に記録したデータを再生して得られる再生品質に基づいて修正する。【０００３】
【特許文献１】特開２００１−２９７４３９号公報
【発明の開示】
【発明が解決しようとする課題】
【０００４】
しかしながら、上述のＯＰＣでは、光ディスク上において予め定められたパワーキャリブレーションエリアにおいて記録パワーのキャリブレーションが行なわれる。係るパワーキャリブレーションエリアは、例えば光ディスク上の最内周側や最外周側に設けられていることが一般的である。一方、光ディスク等は、その製造条件や製造方法等の違いにより、記録面内における記録特性が必ずしも均一であるとは限らないことが一般的である。また、記録レーザの温度特性等によっても記録パワーが変動することも知られている。従って、仮にパワーキャリブレーションエリアにおいて記録パワーのキャリブレーションを行なったとしても、そこで求められた最適記録パワーは、必ずしも光ディスク全体にわたって適切であるとは限らないという技術的な問題点を有している。更には、記録線速が変わる場合においても、変更前及び変更後の夫々における最適記録パワーが相異なるという技術的な問題点を有している。また、データの再生品質に基づいて記録パワーの修正を行ったとしても、記録特性のばらつきやその変化の傾向からすると、必ずしもそこで求められるパワー値は最適であるとは断言できない。また、上記特許文献１では、記録パワーを修正するために、対象とする記録領域にデータを記録する必要があり、データを記録していない記録領域における記録パワーを修正することが困難或いは不可能であるという技術的な問題点をも有している。【０００５】
本発明は、例えば上述した従来の問題点に鑑みなされたものであり、例えば光ディスク等の情報記録媒体に適切な記録パワーで情報の記録を行なうことを可能とならしめる情報記録装置及び方法、情報記録再生装置及び方法並びにコンピュータをこのような情報記録装置として機能させるコンピュータプログラムを提供することを課題とする。
【課題を解決するための手段】
【０００６】
上記課題を解決するために、本発明野の情報記録装置は、修設定値に応じた記録パワーのレーザ光を情報記録媒体に照射して当該情報記録媒体に記録情報を記録する記録手段と、前記記録手段において、前記設定値を変化させながら記録された試し記録情報を再生することにより、前記設定値と再生品質との相関を表す相関情報を作成するとともに、所望の再生品質（ターゲット再生品質）が得られる基準設定値を求める算出手段と、前記記録手段において、前記基準設定値を用いて記録された記録情報を再生することにより、前記再生品質を測定する測定手段と、前記測定手段が測定した再生品質と、前記ターゲット再生品質とが異なる場合、前記相関情報に基づいて、前記基準設定値の修正量を求め、且つ該修正量に基づく修正後の設定値が新たな基準設定値となるように前記基準設定値を修正する修正手段とを有する。【０００７】
上記課題を解決するために、本発明の情報記録方法は、設定値に応じた記録パワーのレーザ光を情報記録媒体に照射して当該情報記録媒体に記録情報を記録する記録工程と、前記記録工程において、前記設定値を変化させながら記録された試し記録情報を再生することにより、前記設定値と再生品質との相関を表す相関情報を作成するとともに、所望の再生品質（ターゲット再生品質）が得られる基準設定値を求める算出工程と、前記記録工程において、前記基準設定値を用いて記録された記録情報を再生することにより、前記再生品質を測定する測定工程と、前記測定工程において測定された再生品質と、前記ターゲット再生品質とが異なる場合、前記相関情報に基づいて、前記基準設定値の修正量を求め、且つ該修正量に基づく修正後の設定値が新たな基準設定値となるように前記基準設定値を修正する修正工程とを有する。【０００８】
上記課題を解決するために、本発明の情報記録再生装置は、本発明の情報記録装置と、前記情報記録媒体から前記記録された情報を再生する再生手段とを備える。【０００９】
上記課題を解決するために、本発明の情報記録再生方法は、本発明の情報記録方法と、前記情報記録媒体から前記記録された情報を再生する再生工程とを備える。【００１０】
上記課題を解決するために、本発明の第１のコンピュータプログラムは、本発明の情報記録装置に備えられたコンピュータを制御する記録制御用のコンピュータプログラムであって、該コンピュータを、前記記録手段、前記算出手段、前記測定手段及び前記修正手段のうち少なくとも一部として機能させる。【００１１】
上記課題を解決するために、本発明の第２のコンピュータプログラムは、本発明の情報記録再生装置に備えられたコンピュータプログラムを制御する記録再生制御用のコンピュータプログラムであって、該コンピュータを、前記情報記録装置及び前記再生手段のうち少なくとも一部として機能させる。【００１２】
本発明の作用及び他の利得は次に説明する実施の形態から明らかにされよう。
【図面の簡単な説明】
【００１３】
【図１】本発明の情報記録装置に係る実施例に用いられる情報記録媒体の一例たる光ディスクの基本構造を示し、上側部分は複数のエリアを有する光ディスクの概略平面図であり、これ
【図２】本発明の情報記録装置に係る実施例の基本構成を概念的に示すブロック図である。
【図３】本実施例に係る情報記録装置において、データの記録前の動作の流れを示すフローチャートである。
【図４】本実施例に係る情報記録装置において、相関式の作成に係る動作の流れを示すフローチャートである。
【図５】本実施例に係る情報記録装置において作成される相関式を示すグラフ、並びにその作成の元となる記録パワー及びアシンメトリの具体的な数値を示す表である。
【図６】本実施例に係る情報記録装置において、記録レーザパワーの修正動作の流れを示すフローチャートである。
【図７】本実施例に係る情報記録装置において、記録レーザパワーの修正時における相関式上の様子を概念的に示すグラフである。
【図８】本実施例に係る情報記録装置において、データを記録中の動作の流れを示すフローチャートである。
【図９】本実施例に係る情報記録装置において、ソフトランディング動作の流れを示すフローチャートである。
【図１０】図１０は、ソフトランディング動作時のアシンメトリの様子を概念的に示す説明図である。
【図１１】本実施例に係る情報記録装置において、複数回の修正を繰り返す動作の流れを示すフローチャートである。
【符号の説明】
【００１４】
１  情報記録装置
１００  光ディスク
１０４  リードインエリア
１０６  データ記録エリア
１０８  リードアウトエリア
３１０  光ピックアップ
３１２  ＲＦ検出器
３１５  サーボユニット
３２０  ＬＤドライバ
３３０  エンベロープ検波器
３４０  ＯＰＣパターン発生器
４００  ＣＰＵ
４０１  メモリ
【発明を実施するための最良の形態】
【００１５】
以下、発明を実施するための最良の形態としての本発明の実施形態に係る情報記録媒体、情報記録装置及び方法、並びにコンピュータプログラムについて順に説明する。【００１６】
（情報記録装置の実施形態）
本発明の情報記録装置に係る実施形態は設定値に応じた記録パワーのレーザ光を情報記録媒体に照射して当該情報記録媒体に記録情報を記録する記録手段と、前記記録手段において、前記設定値を変化させながら記録された試し記録情報を再生することにより、前記設定値と再生品質との相関を表す相関情報を作成するとともに、所望の再生品質（ターゲット再生品質）が得られる基準設定値を求める算出手段と、前記記録手段において、前記基準設定値を用いて記録された記録情報を再生することにより、前記再生品質を測定する測定手段と、前記測定手段が測定した再生品質と、前記ターゲット再生品質とが異なる場合、前記相関情報に基づいて前記基準設定値の修正量を求め、且つ該修正量に基づく修正後の設定値が新たな基準設定値となるように前記基準設定値を修正する修正手段とを有する。【００１７】
本発明の情報記録装置に係る実施形態によれば、記録手段の動作により例えば映像情報や音楽情報等のコンテンツ或いはコンピュータ用のデータ情報等を含んでなる各種記録情報を記録することが可能である。そしてこの記録動作時における記録パワーの値（即ち、設定値）としては、算出手段により求められる基準設定値が用いられる。具体的には、算出手段は設定値を変化させながら（即ち、記録パワーを適宜変化させて）記録された試し記録情報（例えば、後述のＯＰＣパターン）を再生し、所望の再生品質が得られる基準設定値を求める。ここでの所望の再生品質としてのターゲット再生品質とは、例えば後述するように、アシンメトリ値が最小となるような再生品質であってもよいし、或いはジッタ値や再生エラーレート等が最小となるような再生品質であってもよい。【００１８】
本実施形態では特に、算出手段は、記録パワーの基準設定値を求める際に、記録パワーの設定値と該設定値に応じた記録パワーで記録された記録情報（例えば、試し記録情報）の再生品質との相関関係を示す相関情報をも求める。この相関情報は、例えば再生品質が設定値の関数として示されていてもよいし、或いは対応する表（例えば、具体的な数値を示す表）により示されていてもよいし、それ以外の各種グラフや表、関数等により示されていてもよい。そして、測定手段は、記録手段によって記録された記録情報の再生品質を測定可能に構成されている。そして、測定手段により測定された再生品質とターゲット再生品質とが異なる場合には、修正手段の動作により基準設定値の修正量が求められる。即ち、ターゲット再生品質を得られるような記録パワーの設定値と算出手段により求められた基準設定値との差異を示す修正量が求められる。この修正手段により求められた修正量に応じて記録パワーを修正すれば、記録手段はより好適な記録パワーにて記録情報を記録することができる。そして修正手段は、修正量に応じて記録パワーを修正するように記録手段を制御してもよい。或いは、記録手段は、修正手段により求められた修正量に応じて、記録パワーを修正しつつ、新たな基準設定値でレーザ光を発してもよい。【００１９】
このとき、修正手段により求められた修正量を反映させた設定値が新たな基準設定値となるように、算出手段により求められた基準設定値を修正する。この基準設定値の修正に伴い、レーザ光の記録パワーも修正されることとなる。そして、それ以後の各種動作は、当該新たな基準設定値（即ち、修正手段により修正された基準設定値）を用いて行なう。即ち、それ以降修正手段が求める修正量は、一度求められた新たな基準設定値とターゲット再生品質を得られるような設定値との差異であることが好ましい。但し、修正手段は、算出手段により求められた基準設定値とターゲット再生品質を得られるような設定値との差異である修正量を求めてもよい。これは、算出手段により求められる基準設定値という絶対的数値を基に絶対的な修正量を求めるか、或いはその基準設定値が逐次変動する相対的な修正量を求めるかの違いにすぎず、ターゲット再生品質を得られるような記録パワーの設定値を求めるための修正量を求めるという点においては同等のことを示しているものである。【００２０】
特に、記録パワーの基準設定値を用いるのみならず、記録パワーの設定値と再生品質との関係を示す相関情報を用いて基準設定値を修正することができるため、より高い再生品質（或いは、ターゲット再生品質）を得ることができるような記録パワーの修正量を比較的容易に求めることが可能となる。即ち、その相関情報が示している記録パワーの変化の傾向に基づいて、ターゲット再生品質を得られるような記録パワーの修正量を求めることができるという点で、例えば特許文献１に記載された発明等と比較してより優れた効果を有しているといえる。この相関情報に応じた修正量を求める動作に関しては、後述の実施例においてより詳細に説明する。【００２１】
以上の結果、本発明の情報記録装置に係る実施形態によれば、相関情報を有効に利用することで、所望のターゲット再生品質を実現可能な記録パワーにおける設定値を求めることが可能となる。従って、適切な記録パワーで記録情報の記録を行なうことができ、その結果、当該記録情報の再生時には、再生エラーの発生を抑えることができるため、その再生品質をより向上させることが可能となる。【００２２】
本発明の情報記録装置に係る実施形態の他の態様は、前記修正手段は、所定の修正量ずつ段階的に前記基準設定値を修正する。【００２３】
この態様によれば、基準設定値からいきなり修正後の設定値となるように記録パワーを急激に或いは即座に切り替えることなく、記録パワーが段階的に修正後の設定値に近づくように、その記録パワーの修正（即ち、変化の程度）を緩やかに行なうことができる。従って、急激な記録パワーの変化により、記録情報の記録状態（例えば、アシンメトリ値等）が突然大きく変化するような事態を防ぐことができる。その結果、急激な記録パワーの変化に伴って発生しうる各種不利益（例えば後述の如く、再生時の読取エラー等）を防止することが可能となる。これにより、例えば情報再生装置をして、記録情報の適切な再生を実現することができるという大きな利点を有している。【００２４】
尚、この段階的に加える所定の修正量のサイズは、修正による記録パワー変化の緩やかさに応じて、適宜変更可能に構成されていることが好ましい。但し、予め所定のサイズを定めるように構成してもよい。【００２５】
上述の如く段階的に基準設定値を修正する情報記録装置の態様では、前記所定の修正量の大きさは可変である。【００２６】
このように構成すれば、記録パワーの変化の程度を適宜設定することができる。例えば、所定の修正量を相対的に小さく設定すれば、記録パワーの変化は比較的緩やかになる。他方、所定の修正量を相対的に大きく設定すれば、記録パワーの変化は比較的急になる。【００２７】
このとき、前記修正手段が段階的に基準設定値を修正するか否かを判定する第１判定手段を更に備えるように構成してもよい。【００２８】
このように構成すれば、第１判定手段の判定に応じて、段階的に記録パワーを修正したり、或いは例えば即座に記録パワーを修正したりすることができる。このため、不必要に記録パワーを段階的に修正することを防ぐことができ、その結果ターゲット再生品質を実現可能な記録パワーにて記録される記録情報が増加し、より好適な記録動作を実現することができる。【００２９】
本発明の情報記録装置に係る実施形態の他の態様は、前記修正手段は、前記基準設定値の修正量が所定量以下のときは、前記基準設定値を修正しない。【００３０】
この態様によれば、例えば修正手段により求められた修正量が所定量以下であるような場合には、基準設定値は、修正量を求める以前の基準設定値を維持する（即ち、基準設定値を修正しない）。そして、修正量が所定量以上であれば、修正後の設定値を新たな基準設定値として修正する。このため、所定量を適切に設定することで、修正手段による修正量が適宜小さくなっていき、より適切な基準設定値に収束していると判断することができる。従って、必要以上に基準設定値の修正を行なう必要が無くなり、記録動作の処理パフォーマンスの向上を図ることができる。尚、このように修正量の大きさにより修正するかしないかを決める動作については、後述の実施例において詳細に説明する。【００３１】
本発明の情報記録装置に係る実施形態の他の態様は、前記修正手段は、前記記録手段が所定量の記録情報を記録するごとに又は所定時間ごとに、前記基準設定値を修正する。【００３２】
この態様によれば、所定周期毎に修正量を求めることができるため、情報記録媒体のいずれの記録位置においても或いは記録動作が継続していれば、好適な記録情報の記録を行なうことができる。尚、係る「所定量の記録情報」や「所定時間」に係る数値は、例えば予め定めるものであってもよいし、記録情報の記録中に適宜変更するものであってもよい。そして、変更する場合には、当該情報記録装置のユーザにより変更可能に構成してもよいし、例えばＣＰＵ等の動作により自動的に変更可能に構成してもよい。【００３３】
このとき、前記修正手段は、前記情報記録媒体上において前記記録手段が前記記録情報を記録する位置が所定量変化する毎に前記修正量を求めるように構成してもよい。【００３４】
このように構成すれば、情報記録媒体上のいずれの位置においても、適切に最適値に係る記録パワーにて記録情報を記録することができる。例えば、ＣＤやＤＶＤ等の光ディスクの如く円盤状の情報記録媒体であれば、内周付近、中周付近、外周付近と記録位置が移動することに伴い、適宜修正量を求めることができる。従って、例えば感度ムラ等による基準設定値の変化に対応し、より好適な記録パワーにて記録情報を記録することができる。【００３５】
本発明の情報記録装置に係る実施形態の他の態様は、前記再生品質は、アシンメトリ値、ジッタ値、再生エラーレートの少なくとも１つを含む再生品質である。【００３６】
この態様によれば、より適切な記録動作を実現するための修正量を的確に求めることができる。例えば、ターゲット再生品質として、アシンメトリ値が最小となるような再生品質であってもよいし、ジッタ値が最小となるような再生品質であってもよいし、或いは再生エラーレートが最小となるような再生品質であってもよい。そして、これらの再生品質を適宜組み合わせて、その修正量を求めるように構成してもよいし、或いはいずれかの再生品質を優先的に判断することで、その修正量を求めるように構成してもよい。【００３７】
本発明の情報記録装置に係る実施形態の他の態様は、前記測定手段は、測定直前に前記記録手段によって記録された記録情報の再生品質を測定する。【００３８】
この態様によれば、測定直前に基準設定値に係る記録パワー（或いは、一度修正された記録パワー）にて記録された記録情報の再生品質と比較することで、より好適な修正量を求めることができる。ここに、本発明における「直前」とは、文字通りの直前を示す他、直前と同視しうる程度の期間を隔てる状態をも含んだ広い趣旨である。従って、より好適な基準設定値による記録パワーにて記録情報を記録することができる。【００３９】
本発明の情報記録装置に係る実施形態の他の態様は、前記算出手段により求められた相関情報および基準設定値の情報のうち少なくとも一方を前記情報記録媒体に記録するように前記記録手段を制御する制御手段をさらに備える。【００４０】
この態様によれば、情報記録媒体にこれらの情報を記録することで、基準設定値や相関情報を実際に求めた情報記録装置のみならず、他の情報記録装置（例えば、当該情報記録媒体に記録情報を記録したことのない情報記録装置等）においても、情報記録媒体に記録された相関情報等を参照することで、適切な修正量を求めることができるという大きな利点を有する。【００４１】
このとき、前記算出手段により求められた基準設定値の情報及び前記相関情報のうち少なくとも一方を格納する格納手段を備えるように構成してもよい。【００４２】
このように構成すれば、相関情報を逐次作成する手間を省き、例えば情報記録媒体の装填時に相関情報を求めておけば、それ以降例えばＲＡＭ等の半導体メモリやその他の記録メディアを含む格納手段に格納された相関情報に基づいて最適値を求めることができる。【００４３】
（情報記録方法の実施形態）
本発明の情報記録方法に係る実施形態は、設定値に応じた記録パワーのレーザ光を情報記録媒体に照射して当該情報記録媒体に記録情報を記録する記録工程と、前記記録工程において、前記設定値を変化させながら記録された試し記録情報を再生することにより、前記設定値と再生品質との相関を表す相関情報を作成するとともに、所望の再生品質であるターゲット再生品質が得られる基準設定値を求める算出工程と、前記記録工程において、前記基準設定値を用いて記録された記録情報を再生することにより、前記再生品質を測定する測定工程と、前記測定工程において測定された再生品質と、前記ターゲット再生品質とが異なる場合、前記相関情報に基づいて、前記基準設定値の修正量を求め、修正後の値を新たな基準設定値とする修正工程とを有する。【００４４】
本発明の情報記録方法に係る実施形態によれば、上述した本発明の情報記録装置に係る実施形態と同様に、算出工程において基準設定値と相関情報とを求めることができる。そして、測定工程において、記録された記録情報の再生品質を測定できる。そして、修正工程において、相関情報を用いて修正量を求めることができる。その結果、記録工程においてはより好適な（即ち、修正された基準設定値に係る）記録パワーにて記録情報を記録することができる。従って、上述した本発明の情報記録装置に係る実施形態が有する各種利益を享受することができる。【００４５】
尚、上述した本発明の情報記録装置に係る実施形態における各種態様に対応して、本発明に係る情報記録方法の実施形態も各種態様を採ることが可能である。【００４６】
（情報記録再生装置の実施形態）
本発明の情報記録再生装置に係る実施形態は、上述した本発明の情報記録装置に係る実施形態（但し、その各種態様を含む）と、前記情報記録媒体から前記記録された情報を再生する再生手段とを備える。【００４７】
本発明の情報記録再生装置に係る実施形態によれば、上述した本発明の情報記録装置に係る実施形態が有する各種利益を享受することができると共に、例えば光ピックアップやＲＦ検出器等を備えてなる再生手段を用いて情報を再生することが可能となる。【００４８】
尚、上述した本発明の情報記録装置に係る実施形態における各種態様に対応して、本発明に係る情報記録再生装置の実施形態も各種態様を採ることが可能である。【００４９】
本発明の情報記録再生方法に係る実施形態は、上述した本発明の情報記録方法に係る実施形態（具体的には、その各工程）と、前記情報記録媒体から前記記録された情報を再生する再生工程とを備える。【００５０】
本発明の情報記録再生方法に係る実施形態によれば、上述した本発明の情報記録方法に係る実施形態が有する各種利益を享受することができるとともに、例えば光ピックアップやＲＦ検出器等の動作による再生工程において、情報を再生することが可能となる。【００５１】
尚、上述した本発明の情報記録方法に係る実施形態における各種態様に対応して、本発明に係る情報記録再生方法の実施形態も各種態様を採ることが可能である。【００５２】
（コンピュータプログラムの実施形態）
本発明に係るコンピュータプログラムの第１実施形態は、コンピュータを上述した情報記録装置の実施形態（但し、その各種形態も含む）として機能させる。より具体的には、コンピュータを上述した情報記録装置の実施形態における前記記録手段、前記算出手段、前記測定手段及び前記修正手段のうち少なくとも一部として機能させる。【００５３】
本発明に係るコンピュータプログラムの第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。【００５４】
尚、上述した本発明の情報記録装置に係る実施形態における各種態様に対応して、本発明のコンピュータプログラムに係る第１実施形態も各種態様を採ることが可能である。【００５５】
本発明に係るコンピュータプログラムの第２実施形態は、コンピュータを上述した情報記録再生装置の実施形態（但し、その各種形態も含む）に備えられたコンピュータプログラムを制御する記録再生制御用のコンピュータプログラムであって、該コンピュータを、前記情報記録装置及び前記再生手段のうち少なくとも一部として機能させる。【００５６】
本発明に係るコンピュータプログラムの第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録再生装置に係る実施形態を比較的簡単に実現できる。【００５７】
尚、上述した本発明の情報記録再生装置に係る実施形態における各種態様に対応して、本発明のコンピュータプログラムに係る第２実施形態も各種態様を採ることが可能である。【００５８】
コンピュータ読取可能な媒体内のコンピュータプログラム製品に係る第１実施形態は上記課題を解決するために、コンピュータにより実行可能なプログラム命令を明白に具現化し、該コンピュータを、上述した情報記録装置（但し、その各種形態も含む）として機能させる。より具体的には、該コンピュータを上述した情報記録装置における前記記録手段、前記算出手段、前記測定手段及び前記修正手段のうち少なくとも一部として機能させる。【００５９】
コンピュータ読取可能な媒体内のコンピュータプログラム製品に係る第２実施形態は上記課題を解決するために、上述した情報記録再生装置（但し、その各種形態も含む）に備えられたコンピュータにより実行可能なプログラム命令を明白に具現化し、該コンピュータを、上述した情報記録再生装置（但し、その各種形態も含む）として機能させる。より具体的には、該コンピュータを前記情報記録装置及び前記再生手段のうち少なくとも一部ととして機能させる。【００６０】
本発明のコンピュータプログラム製品に係る第１又は第２実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報記録再生装置を比較的容易に実施可能となる。更に具体的には、当該コンピュータプログラム製品は、本発明の情報記録装置又は情報記録再生装置をとして機能させるコンピュータ読取可能なコード（或いはコンピュータ読取可能な命令）から構成されてよい。【００６１】
本発明のこのような作用及び他の利得は次に説明する実施の形態から明らかにされる。【００６２】
以上説明したように、本発明の情報記録装置に係る実施形態によれば、記録手段、算出手段、測定手段及び修正手段を備える。従って、適切な記録パワーで記録情報の記録を行なうことができ、記録エラーの発生を抑えることが可能となる。
【実施例】
【００６３】
以下、本発明の実施例を図面に基づいて説明する。【００６４】
先ず、図１を参照して、本発明の情報記録装置に係る実施例において用いられる情報記録媒体について説明する。本実施例では、情報記録媒体として記録型の光ディスクを用いて説明を進める。ここに、図１は、上側に複数のエリアを有する光ディスクの構造を概略平面図で示すと共に、下側にその径方向におけるエリア構造を概念図で対応付けて示すものである。【００６５】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウト１０８は更に細分化された構成であってもよい。【００６６】
続いて、図２から図１１を参照して、本発明の情報記録装置に係る実施例について説明する。【００６７】
（基本構成）
先ず、図２を参照して実施例に係る情報記録装置の基本構成について説明する。ここに、図２は、本実施例に係る情報記録装置の基本構成を概念的に示すブロック図である。【００６８】
図２に示すように、本実施例に係る情報記録装置１は、スピンドルモータ３０１、光ピックアップ３１０、ヘッドアンプ３１１、ＲＦ検出器３１２、サーボ回路３１５、ＬＤドライバ３２０、ウォブル検出器３２５、ＬＰＰデータ検出器３２６、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、バッファ３８５、インタフェース３９０、ＣＰＵ４００及びメモリ４１０を備えて構成されている。【００６９】
スピンドルモータ３０１は、サーボ回路３１５等によりスピンドルサーボを受けつつ所定速度で光ディスク１００を回転させるように構成されている。【００７０】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光等の光ビームを、再生時には読み取り光として第１のパワーで照射し、記録時には書き込み光として第２のパワーで且つ変調させながら照射する。光ピックアップ３１０は、サーボ回路３１５により駆動される図示しないアクチュエータ、スライダ等により光ディスク１００の半径方向等に移動できるように構成されている。【００７１】
ヘッドアンプ３１１は、光ピックアップ３１０の出力信号（即ち、光ビームＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５やＬＰＰデータ検出器３２６へ出力される。【００７２】
ＲＦ検出器３１２は、ＲＦ信号を検出し、復調等を施すことで、再生データをバッファ３８５及びインタフェース３９０経由で外部へ出力可能に構成されている。そして、インタフェース３９０に接続された外部出力機器（例えば、液晶ディスプレイやプラズマディスプレイ等の表示デバイス、或いはスピーカ等）において、所定のコンテンツが再生出力されることとなる。【００７３】
サーボ回路３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータ３０１をサーボ制御するように構成されている。【００７４】
ＬＤドライバ３２０は、後述のＯＰＣ処理時には、後述のＯＰＣパターンの記録及び再生処理により最適な記録レーザパワーの決定が行えるように、光ピックアップ３１０内に設けられた半導体レーザを駆動する。その後、ＬＤドライバ３２０は、データ記録時には、ＯＰＣ処理により決定された最適な記録レーザパワーで、光ピックアップ３１０の半導体レーザを駆動するように構成されている。このデータ記録時には、最適記録レーザパワーは、記録データに応じて変調される。【００７５】
尚、上述したスピンドルモータ３０１、光ピックアップ３１０、サーボ回路３１５及びＬＤドライバ３２０等を含めて、本発明に係る「記録手段」の一具体例を構成している。【００７６】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共にタイミング生成器３４５へ出力するように構成されている。【００７７】
ＬＰＰデータ検出器３２６は、光ピックアップ３１０内に設けられた反射光ビームを受光する検出器たるヘッドアンプ３１１からの受光量に応じた出力信号に基づいて、ＬＰＰ信号を示すプッシュプル信号を検出し、例えば後述の如くプリフォーマットアドレス情報を検出可能に構成されている。そして、当該プリフォーマットアドレス情報をタイミング生成器３４５へ出力可能に構成されている。【００７８】
エンベロープ検波器３３０は、ＯＰＣ処理におけるＯＰＣパターンの再生時に、ＣＰＵ４００の制御下で、最適記録レーザパワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。【００７９】
ＯＰＣパターン発生器３４０は、記録動作前のＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。【００８０】
タイミング生成器３４５は、ＯＰＣ処理におけるＯＰＣパターンの記録時に、ＬＰＰデータ検出器３２６より入力されるプリフォーマットアドレス情報に基づき、該プリフォーマットアドレス情報の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位の境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。【００８１】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適な記録レーザパワーの検出、即ち、ＯＰＣ処理が実行される。【００８２】
バッファ３６０は、ＤＶＤモジュレータ３７０より変調された記録データを格納し、ＬＤドライバ３２０に出力可能に構成されている。【００８３】
ＤＶＤモジュレータ３７０は、記録データに対してＤＶＤ変調を施し、バッファ３６０に出力可能に構成されている。ＤＶＤ変調として、例えばＥＦＭ（Eight to Fourteen Modulation）変調が施されてもよい。【００８４】
データＥＣＣ生成器３８０は、インタフェース３９０より入力される記録データに対してエラー訂正用の符号を付加する。具体的には、所定のブロック単位（例えば、ＥＣＣブロック単位）毎にＥＣＣコードを付加し、ＤＶＤモジュレータ３７０へ出力する。【００８５】
バッファ３８５は、ＲＦ検出器３１２から出力される再生データを格納し、インタフェース３９０を介して、外部出力機器へ出力する。【００８６】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。【００８７】
ＣＰＵ４００は、最適な記録レーザパワーを検出するために、例えば、ＬＤドライバ３２０、サーボ回路３１５等の各手段へ指示する、即ちシステムコマンドを出力することで、情報記録装置１全体の制御を行う。通常、ＣＰＵ４００が動作するためのソフトウェアは、内部又は外部のメモリ内に格納されている。【００８８】
メモリ４１０は、例えばＲＡＭやフラッシュメモリ等の半導体メモリを含んでなり、後述するように相関式や最適記録パワーＰｏを記録可能に構成されている。【００８９】
尚、図２を参照して説明した本実施例に係る情報記録装置は、情報記録再生装置の実施例も兼ねる。即ち、ヘッドアンプ３１１やＲＦ検出器３１２を介して記録情報を再生可能であり、本実施例は、情報再生装置の機能或いは情報記録再生装置の機能を含む。【００９０】
（動作原理）
続いて、図３から図１１を参照して、本実施例に係る情報記録装置１の動作原理について説明する。【００９１】
（１）記録前の動作
先ず、図３から図７を参照して本実施例に係る情報記録装置１の、各種データを記録する前における動作について説明する。ここに、図３は、本実施例に係る情報記録装置１のデータ記録前の動作の流れを示すフローチャートであり、図４は、記録レーザパワーとアシンメトリとの相関式の作成動作の流れを示すフローチャートであり、図５は、作成された相関式を示すグラフ、並びにその作成の元となった記録パワー及びアシンメトリの夫々の数値を示す表であり、図６は、記録レーザパワーの修正動作の流れを示すフローチャートであり、図７は、修正動作時の相関式上における算出動作を概念的に示すグラフである。【００９２】
尚、本実施例では「基準記録レーザパワー」と「最適記録レーザパワー」なる文言が用いられているが、主として「基準記録レーザパワー」は、データを記録する際の記録レーザパワーの目安となるものであり、主としてＯＰＣ処理により求められる。また、一度求められた「最適記録レーザパワー」は、後述の如くその後のデータ記録時における「基準記録レーザパワー」として扱われる。他方、「最適記録レーザパワー」は、データの記録中に適宜算出されるその記録時点での最適な記録レーザパワーの値を示すものである。【００９３】
図３において、先ず光ディスク１００がローディングされる（ステップＳ１０１）。そして、ＣＰＵ４００の制御下で、光ピックアップ３１０によりシーク動作が行われ、光ディスク１００への記録処理に必要な各種管理用データが取得される。この管理用データに基づいて、ＣＰＵ４００の制御により、例えば外部入力機器等からの指示に応じて、インタフェース３９０を介して光ディスク１００へのデータの記録が行われる。【００９４】
このローディングの後、ＣＰＵ４００の制御の下で、既に記録レーザパワーとアシンメトリとの関係を示す相関式が作成されているか否かが判定される（ステップＳ１０２）。ここでは、例えば当該情報記録装置１のメモリ４１０中に該相関式が記録されているか否かを判定してもよい。或いは、光ディスク１００自体に相関式が記録されているか否かを判定してもよい。【００９５】
この判定の結果、相関式が作成されていなければ（ステップＳ１０２：Ｎｏ）、相関式を作成する（ステップＳ１０３）。ここで、この相関式の作成動作について、図４及び図５を参照してより詳細に説明する。【００９６】
図４に示すように、先ずＯＰＣ処理が実行される（ステップＳ２０１）。ここで、ＯＰＣ処理についてより具体的に説明すると、まずＣＰＵ４００による制御下で、光ピックアップ３１０がリードインエリア１０４内に設けられたパワーキャリブレーションエリアへ移動され、ＯＰＣパターン発生器３４０及びＬＤドライバ３２０等の制御により、順次段階的に（例えば、相互に異なる１６段階の）記録レーザパワーが切り換えられて、本発明における「試し記録情報」の一具体例たるＯＰＣパターンがパワーキャリブレーションエリアに記録される。ＯＰＣパターンとして、例えば３Ｔパルスに相当する短ピット及び１１Ｔパルスに相当する長ピットを夫々同一の長さの無記録区間と共に交互に形成した記録パターンが一つの例として挙げられる。【００９７】
ＬＤドライバ３２０は、このＯＰＣパターン発生器３４０から出力されるＯＰＣパターンにより、記録レーザパワーを順次段階的に切り換えるように、光ピックアップ３１０内の半導体レーザを駆動する。【００９８】
更に、このようなパワーキャリブレーションエリアへのＯＰＣパターンの記録完了後には、ＣＰＵ４００の制御下で、該パワーキャリブレーションエリアにおいて記録されたＯＰＣパターンが再生される。そして、エンベロープ検波器３３０に入力されたＲＦ信号より、当該ＲＦ信号のエンベロープ検波のピーク値及びボトム値がサンプリングされ、データ収集器３５０へ出力される。そして、ＣＰＵ４００の制御下で、これらピーク値及びボトム値は、データ収集器３５０へ格納される。その後、このようなＯＰＣパターンの再生が、１回のＯＰＣ処理において、例えば記録されたＯＰＣパターンの回数に応じて行われ、夫々の再生毎のピーク値及びボトム値よりアシンメトリが求められる。【００９９】
尚、上述のＣＰＵ４００やＯＰＣパターン発生器３４０等を含めて、本発明における「算出手段」の一具体例を構成している。【０１００】
そして、ステップＳ２０１において行なわれたＯＰＣ処理の結果に基づき、本発明における「相関情報」の一具体例たる相関式を作成する（ステップＳ２０２）。即ち、ステップＳ２０２において、順次段階的に切り替えられた記録レーザパワーとその記録レーザパワーにて記録されたＯＰＣパターンのアシンメトリとの関係を示す関数を作成する。【０１０１】
例えば、図５（ａ）に示すような記録レーザパワーとアシンメトリとの関係が得られたとする。このとき、当該関係を、縦軸をアシンメトリとし横軸を記録レーザパワーの値とするグラフ上にプロットし、且つ近似曲線で結ぶと、図５（ｂ）に示すようなグラフが得られる。係る近似曲線は、例えば最小二乗法等の数学的又は統計的手法を用いて得ることができる。そして図５（ａ）に示す関係は、係る最小二乗法等を用いると、記録レーザパワーの値をｘとしアシンメトリの値をｙとすると、相関式はｙ＝−０．０１２９ｘ２＋０．４３１８ｘ−３．４６６４となる。【０１０２】
尚、本実施例では、２次曲線にて相関式を作成したがこれに限られず、例えば３次曲線や４次曲線等で示される任意の関数により作成してもよい。【０１０３】
再び図４において、アシンメトリが最小となるような（即ち、０となる）記録レーザパワーが基準記録レーザパワーＰｏとして求められる（ステップＳ２０３）。例えば、図５（ｂ）に示すような相関式が得られれば、アシンメトリが０となる記録レーザパワーの値１３．３ｍＷが基準記録レーザパワーＰｏとして求められる。【０１０４】
但し、例えばＤＶＤ−ＲＯＭの規格上、アシンメトリは−０．０５から０．１５の範囲で適切な記録動作等が可能となるため、必ずしもアシンメトリが０となるような記録レーザパワーの値でなくとも、例えば０．１０や−０．０３といった値であってもよい。【０１０５】
そして、ステップＳ２０２において作成された相関式（即ち、ｙ＝−０．０１２９ｘ２＋０．４３１８ｘ−３．４６６４なる相関式）がメモリ４１０へ記録される（ステップＳ２０４）。このとき、基準記録レーザパワーＰｏ（即ち、１３．３ｍＷなる数値）も同時にメモリ４１０へ記録される。【０１０６】
再び図３において、その後、基準記録レーザパワーＰｏにてデータの記録が行なわれる（ステップＳ１０６）。具体的には、光ピックアップ３１０が記録エリア（例えば、図２に示したデータ記録エリア１０６等）へ移動され、ＬＤドライバ３２０等の制御により、先に求められた記録レーザパワー（即ち、基準記録レーザパワーＰｏ）で、記録データに応じてレーザ光が変調されることで、記録エリアへの記録データの記録が行われる。即ち、トラック上に、記録データに応じた記録ピットが形成される。【０１０７】
他方ステップＳ１０２の判定の結果、相関式が作成されていると判定されれば（ステップＳ１０２：Ｙｅｓ）、ＣＰＵ４００の制御下で、該相関式を用いて基準記録レーザパワーの修正を行なうか否かが判定される（ステップＳ１０４）。ここでの判定は、例えば記録動作が継続していた時間や光ディスク１００上におけるデータが記録される位置が比較的に大きく変化した場合に、最適記録レーザパワーの修正を行なうと判定してもよい。【０１０８】
尚、ここでの動作はデータの記録前であるため、既にデータを記録している場合はないとも考えられる。しかしながら、例えば光ディスク１００をアンロードすることなく、データの記録を一時停止していたような場合に、ステップＳ１０４における判定及びその後の記録レーザパワーの修正が有効となってくる。【０１０９】
この判定の結果、最適記録レーザパワーの修正を行なわないと判定されれば（ステップＳ１０４：Ｎｏ）、データの記録動作が行なわれる（ステップＳ１０６）。ここでは、記録されていた相関式からアシンメトリが０となるような記録レーザパワー（即ち、基準記録レーザパワーＰｏ）にてデータの記録が行なわれる。即ち、例えば図５（ｂ）に示すような相関式が記録されていれば、１３．３ｍＷの記録レーザパワーにてデータの記録が行なわれる。或いは、メモリ４１０に基準記録レーザパワーＰｏが記録されていれば、その記録レーザパワーにてデータの記録を行ってもよい。【０１１０】
他方、基準記録レーザパワーＰｏの修正を行なうと判定されれば（ステップＳ１０４：Ｙｅｓ）、基準記録レーザパワーＰｏの修正動作が行なわれる（ステップＳ１０５）。【０１１１】
ここで、図６及び図７を参照して、この基準記録レーザパワーＰｏの修正動作についてより詳細に説明する。【０１１２】
図６に示すように、先ず前回記録部を再生し、本発明における「測定手段」の一具体例たるエンベロープ検波器３３０の動作によりそのアシンメトリＡｓｙを求める（ステップＳ３０１）。具体的には、当該基準記録レーザパワーＰｏの修正動作の直前に或いは概ね直前と同視しうることができる時間に記録されたデータを再生し、その再生信号（即ち、ＲＦ信号）からアシンメトリＡｓｙを求める。【０１１３】
そして、本発明における「修正手段」の一具体例たるＣＰＵ４００の動作により、相関式を用いて、ステップＳ３０１において得られたアシンメトリＡｓｙ及びそれまでのデータの記録に用いられていた基準記録レーザパワーＰｏから、修正後の最適記録レーザパワーＰｏ１を求める（ステップＳ３０２）。【０１１４】
具体的に数値を用いて説明する。ステップＳ３０１において得られたアシンメトリＡｓｙが０．０５で、直前にデータを記録した際の基準記録レーザパワーＰｏは１３．３ｍＷであるとする。図７のグラフに示すように、即ち、本来アシンメトリが“０”となる点は、図７中Ａ点にて示されており、アシンメトリが“０．０５”となるＢ点における記録レーザパワーよりも低い値の記録レーザパワーであることが分かる。これは、例えば光ディスク１００の記録位置の相違に起因した特性の変化により、データの記録に最適な記録レーザパワーの絶対値が変化しているためである。即ち、ＯＰＣ処理により求められた１３．３ｍＷに係る基準記録レーザパワーＰｏにてデータを記録すると、本来“０”となるはずのアシンメトリはそのデータを再生した時のアシンメトリは“０．０５”となる。このとき、図７に示すグラフを考察するに、アシンメトリを“０”にするためには、１３．３ｍＷよりも低い記録レーザパワーにてデータを記録する必要があると考えられる。【０１１５】
このとき、Ａ点とＢ点との記録レーザパワーの差は、相関式に基づけば０．６ｍＷである。即ち、アシンメトリが“０”と“０．０５”となるような記録レーザパワーの差は０．６ｍＷである。この数値は、本発明における「修正量」の一具体例である。このため、データを記録する際の記録レーザパワーを０．６ｍＷ低くすれば、アシンメトリが“０”になると考えられる。従って、ここでは修正後の最適記録レーザパワーＰｏ１として、１３．３ｍＷ−０．６ｍＷ＝１２．７ｍＷなる数値が求められる。【０１１６】
再び、図６において、ステップＳ３０２で求められた修正後の最適記録レーザパワーＰｏ１が、新たな基準記録レーザパワーＰｏとして更新され、メモリ４１０に記録される（ステップＳ３０３）。そして、以後はここで求められた新たな基準記録レーザパワーＰｏ（即ち、最適記録レーザパワーＰｏ１）にてデータの記録が行なわれる。このデータの記録動作については、後に詳述する（図８参照）。【０１１７】
このように、ＯＰＣ処理により求めた基準記録レーザパワーの値を更に修正することができる。即ち、実際に記録したデータのアシンメトリとＯＰＣ処理により求められた相関式とを用いて、より好適な最適記録レーザパワーを求めることができる。ちなみに、従来から行なわれているＯＰＣ処理では、記録レーザパワーの値が求められれば、当該処理において取得した各種データ（即ち、例えば相関式等）を廃棄していた。しかるに本実施形態では、この各種データ（特に、相関式）を効果的に用いることで、光ディスク１００の記録特性等に対応したより好適な記録レーザパワーを求めることができるという大きな利点を有している。【０１１８】
また、後述するように、データの記録中においても適宜記録レーザパワーの修正を行なうことで、より適切なデータの記録を継続することができ、また記録されたデータの再生品質をも高めることができる。【０１１９】
更に、本実施例では、本発明における「再生品質」の一具体例として、アシンメトリの値を用いたが、これに限られることなく、例えばジッタ値や再生エラーレート等に基づいて記録レーザパワーの修正を行なうように構成してもよい。【０１２０】
（２）記録中の動作
続いて、図８を参照して、本実施例に係る情報記録装置１がデータを記録している最中の動作について説明する。ここに、図８は、データを記録中の動作の流れを示すフローチャートである。【０１２１】
図８に示すように、データの記録動作が行なわれる（ステップＳ４０１）。その後、ＣＰＵ４００の制御下で、所定量のデータが記録されたか否かが判定される（ステップＳ４０２）。ここでの判定基準となる所定量は、例えば１ＥＣＣブロックであってもよいし、それ以上のサイズを有する数ＥＣＣブロックであってもよいし、或いはそれ以下のサイズであってもよい。いずれのサイズであっても、当該所定量に記録されたデータを再生することでアシンメトリの測定が可能である程度の大きさであることが好ましい。また、これらの数値は当該情報記録装置１において予め定められていてもよいし、或いは当該情報記録装置１のユーザやＣＰＵ４００等により適宜変更されるものであってもよい。また、記録されたデータの量でなく、所定期間データの記録が行なわれた否かを判定するように構成してもよい。【０１２２】
この判定の結果、所定量のデータが記録されていないと判定されれば（ステップＳ４０２：Ｎｏ）、再びデータの記録が行なわれ、再度所定量のデータが記録されたか否かが判定される。【０１２３】
他方、所定量のデータが記録されていると判定されれば（ステップＳ４０２：Ｙｅｓ）、記録動作を一時中断し（ステップＳ４０３）、上述したように基準記録レーザパワーＰｏの修正を行なう（ステップＳ４０４）。そして、ＣＰＵ４００の制御下で、記録動作を終了するか否かを判定する（ステップＳ４０５）。【０１２４】
この判定の結果、記録動作を終了すると判定されれば（ステップＳ４０５：Ｙｅｓ）、記録動作を終了し、必要に応じて所望のデータが記録された光ディスク１００を取り出す。他方、記録動作を終了しないと判定されれば（ステップＳ４０５：Ｎｏ）、再度ステップＳ４０１へ戻り、データの記録を継続する。【０１２５】
このように、データの記録中においても、所定量のデータを記録する毎に基準記録レーザパワーの修正を行なうことができる。このため、光ディスク１００の記録面上のいずれの位置においても、その位置において基準記録レーザパワーの修正を行なえば、いずれの位置においてもより好適な最適記録レーザパワーにてデータを記録することができる。【０１２６】
（３）ソフトランディング動作
続いて、図９及び図１０を参照して、本実施例に係る情報記録装置１のソフトランディング動作について説明する。ここに、図９は、ソフトランディング動作の流れを示すフローチャートであり、図１０は、ソフトランディング動作時のアシンメトリの様子を概念的に示す説明図である。尚、上述した各種動作と同様の動作には、同一のステップ番号を付して、その詳細な説明を省略する。【０１２７】
尚、ソフトランディング動作とは、上述の基準記録レーザパワー修正時において、ＰｏからＰｏ１へその値を変化させる際に、徐々に記録レーザパワーの値を変化させる態様を示している。そして、この場合、図６を用いて説明した記録レーザパワーの修正動作が、上述した動作説明と異なる。従って、ここではその相違点について詳細に説明する。【０１２８】
図９に示すように、直前に記録したデータを再生することでアシンメトリＡｓｙを求め（ステップＳ３０１）、修正後の最適記録レーザパワーＰｏ１を求める（ステップＳ３０２）。そして、ＣＰＵ４００の制御下で、ステップＳ３０１で求めたアシンメトリＡｓｙと目標アシンメトリとの差ΔＡｓｙを求める（ステップＳ５０１）。例えば、ステップＳ３０１にて求められたアシンメトリＡｓｙが“０．０５”で、目標アシンメトリが“０”であれば、その差ΔＡｓｙは、“０．０５”となる。【０１２９】
そして、ＣＰＵ４００の制御下で、その差の絶対値｜ΔＡｓｙ｜が０．０１より大きいか否かが判定される（ステップＳ５０２）。ステップＳ３０１にて求められたアシンメトリＡｓｙと目標アシンメトリとが大きく異なった値を有しているか否かが判定される。この判定基準となる“０．０１”なる数値はこれに限られるものでなく、よりソフトランディング動作を厳密に行なうのであれば、より小さな値を設定し、他方ソフトランディング動作をあまり行わないようにするのであれば、より大きな値を設定することが好ましい。これらの設定は、例えばリモコンや操作ボタン等によって当該情報記録装置１のユーザにより行なわれるように構成してもよいし、或いはＣＰＵ４００により自動的に行なわれるように構成してもよい。【０１３０】
この判定の結果、０．０１より大きくないと判定されれば（ステップＳ５０２：Ｎｏ）、ソフトランディング動作を行なうことなく、ステップＳ３０２にて求めた修正後の最適記録レーザパワーＰｏ１を新たな基準記録レーザパワーＰｏとして更新し（ステップＳ３０３）、データの記録を行なう。このようにアシンメトリＡｓｙと目標アシンメトリが大きく異なった値を有していなければ、ソフトランディング動作によるデータの記録を行なわなくとも、例えば後述するオートスライサは、アシンメトリの変化を追従することができる。従って、例えばプレーヤ等の情報再生装置をして適切にデータを再生せしめることができる。【０１３１】
他方、０．０１より大きいと判定されれば（ステップＳ５０２：Ｙｅｓ）、１セクタに相当する記録領域にデータを記録する（ステップＳ５０３）。このときデータを記録する記録レーザパワーは、修正前の基準記録レーザパワーＰｏである。【０１３２】
そして、Ｐｏに０．１ｍＷを加えた記録レーザパワーを新たな基準記録レーザパワーＰｏとする（ステップＳ５０４）。その後、ＣＰＵ４００の制御下で、Ｐｏ（即ち、０．１ｍＷ大きくなったＰｏ）がＰｏ１よりも大きいか否かが判定される（ステップＳ５０５）。【０１３３】
この判定の結果、ＰｏがＰｏ１よりも大きいと判定されれば、当該Ｐｏ１を新たな基準記録レーザパワーＰｏとして更新する（ステップＳ３０３）。他方、ＰｏがＰｏ１よりも大きくないと判定されれば（ステップＳ５０５：Ｎｏ）、０．１ｍＷ加えた基準記録レーザパワーＰｏにて再度１セクタに相当する記録領域にデータを記録し、その後の動作を繰り返す。このときデータを記録する１セクタに相当する記録領域は、前回に記録した記録領域と相隣接する記録領域であることが好ましい。【０１３４】
尚、図９では、修正後の最適記録レーザパワーＰｏ１が修正前の基準記録レーザパワーＰｏよりも大きい場合を想定している。従って、Ｐｏ１がＰｏよりも小さければ、ステップＳ５０４において、Ｐｏより０．１ｍＷを引いた記録レーザパワーを新たな基準記録レーザパワーＰｏとして、順次データを切り替えていく必要がある。そして、ステップＳ５０５における判定では、ＰｏがＰｏ１よりも小さいか否かを判定する必要がある。【０１３５】
また、ステップＳ５０４において適宜加算或いは減算する“０．１ｍＷ”なる数値（即ち、本発明における「所定の修正量」の一具体例）は、適宜変更するものであってもよい。例えば、記録レーザパワーの変化をより緩やかにする場合には、係る数値をより小さくすることが好ましく、他方記録レーザパワーの変化は急であってもその変化の段階の回数を少なくしたい場合には、係る数値をより大きくすることが好ましい。また、ステップＳ５０３においてデータを記録する領域の大きさたる“１セクタ”なる数値も適宜変更するものであってもよい。例えば、数セクタ毎に記録するように構成してもよいし、１又は数ＥＣＣブロック毎に記録するように構成してもよいし、それ以外の所定の大きさに係る記録領域毎に記録するように構成してもよい。或いは、記録レーザパワーの変化に要する時間で、データを記録する領域の大きさを設定してもよい。例えば概ね一秒で基準記録レーザパワーＰｏから最適記録レーザパワーＰｏ１に変化するように構成してもよい。そして、このような変更は、例えばＣＰＵ４００の動作により自動的に行なうものであってもよいし、或いは例えばリモコンや操作ボタン等によるユーザからの指示に基づいて行なうものであってもよい。【０１３６】
そして、このようにソフトランディング動作を行なってデータを記録することで、図１０（ａ）に示すように、記録レーザパワーの修正前と修正後との３Ｔ振幅パターン（即ち、データを再生した際の再生信号の一つ）のアシンメトリの変化が緩やかになる。即ち、データ記録の一つの境目となるリンキングポジションを挟んで、アシンメトリが急激に変化することなく、比較的緩やかにそのアシンメトリが変化して行く。従って、例えば情報再生装置のオートスライサの応答性が悪くとも、或いは例えばロスレスリンク等を採用しているデータ構造であっても、オートスライサがアシンメトリの変化に追従することができ、適切にデータの再生を行うことができる。【０１３７】
尚、オートスライサとは、主として光ディスク１００に記録されたデータ（具体的には、記録ピット等）をトレースし、該記録ピットから再生された信号を二値化するものである。【０１３８】
仮に、ソフトランディング動作を行なわなければ、図１０（ｂ）に示すように、リンキングポジションを挟んで、アシンメトリが突然変化する。このため、オートスライサの応答性が悪かったり、或いはロスレスリンク等の如くデータとデータとの間が比較的狭い場合には、オートスライサがアシンメトリの変化に追従できず、適切にデータを再生することができない（例えば、読込エラーの発生等）という不都合が生じする。【０１３９】
しかるに、ソフトランディング動作を行なうことで、係る不都合を効果的に防ぐことができ、情報再生装置をして適切にデータの再生を行わせることができるよう、好適にデータを記録することができるという大きな利点を有している。そして、上述した先行技術文献にて示される記録装置と比較して、記録されたデータの再生時における再生エラーを効果的に防止することができるという大きな利点を有している。【０１４０】
（４）複数回のレーザパワーの修正動作
続いて、図１１を参照して、本実施例に係る情報記録装置１において、一回の記録レーザパワー修正動作中に、複数回の修正を繰り返す動作について説明する。即ち、上述の（２）において説明した記録中の動作は、記録レーザパワーを１回修正する動作であるが、ここでは、必要に応じて複数回の修正を繰り返す。ここに、図１１は、複数回の修正を繰り返す動作の流れを示すフローチャートである。尚、上述した各種動作と同様の動作には、同一のステップ番号を付して、その詳細な説明を省略する。【０１４１】
図１１に示すように、光ディスク１００にデータを記録し（ステップＳ４０１）、所定量のデータが記録されたか否かが判定される（ステップＳ４０２）。この判定の結果、所定量のデータが記録されていないと判定されれば（ステップＳ４０２：Ｎｏ）、再びデータの記録を続ける。他方、所定量のデータが記録されていると判定されれば（ステップＳ４０１：Ｙｅｓ）、記録を中断し（ステップＳ４０３）、記録レーザパワーの修正を行なう（ステップＳ４０４）。【０１４２】
ここで特に、ＣＰＵ４００の制御下で、その記録レーザパワーの修正量が、所定量と比較して大きいか否かが判定される（ステップＳ６０１）。【０１４３】
この判定の結果、修正量が大きくないと判定されれば（ステップＳ６０１：Ｎｏ）、その後は記録レーザパワーの修正を行なうことなくデータの記録動作を続ける（ステップＳ４０５、Ｓ４０１）。但し、例えばデータを記録する記録位置が大きく変化した場合等においては、再度ステップＳ４０１に戻り記録レーザパワーの修正を行なうように構成してもよい。他方、修正量が大きいと判定されれば（ステップＳ６０１：Ｙｅｓ）、その後も記録レーザパワーの修正を行いながらデータの記録を継続する。即ち、一度記録レーザパワーを修正した後でも再度修正動作を行なう。【０１４４】
尚、ここでの「所定量」とは、アシンメトリを測定する際の測定誤差を考慮して定めることが好ましい。例えば、アシンメトリが“０．１”となる修正量を所定量としてもよい。【０１４５】
このように複数回の修正動作を繰り返すことで、いずれ最適記録レーザパワーとなるような値にそのパワー値が収束すると考えられる。ここで重要となるのが、記録レーザパワーの比較動作である。修正量が所定量よりも小さくなっていれば、その値は最適記録レーザパワーに近づいていると推測することができる。このため、必要以上に記録レーザパワーの修正を行なうことなく、必要な限度に修正動作を抑えることができる。他方、修正量が所定量よりも大きくなっていれば、その値は最適記録レーザパワー近づいていないと推測できる。このため、再度の修正動作を繰り返すことで、より最適記録レーザパワーに近づくようにそのパワー値を修正する。このように記録レーザパワーの修正量に基づいて、修正動作を行なうか否かを判断することで、例えば上述した特許文献２の如く所定周期毎に記録レーザパワーを修正する態様と比較して、必要最小限にその修正動作を抑えることができる。このため、効率的な記録動作が可能となり、情報記録装置１全体としての処理パフォーマンスの向上につながるという大きな利点を有する。【０１４６】
尚、例えばデータを記録する位置が大きく変化すると、記録特性の変化により最適記録レーザパワーの値が大きく変化することも考えられる。従って、上述の動作は、概ね記録特性が同一又は同一視できる程度の範囲に含まれる記録領域にデータを記録する場合に適用することが好ましい。そして、データを記録する位置が大きく変化した場合には、改めて図１１の上側のステップＳ４０１に戻り、再度修正動作を行なうように動作することが好ましい。【０１４７】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１４８】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びに、記録制御用のコンピュータプログラムもまた本発明の技術的範囲に含まれるものである。
【産業上の利用可能性】
【０１４９】
本発明に係る情報記録媒体、情報記録装置及び方法、情報記録再生装置及び方法並びにコンピュータプログラムは、例えば、民生用或いは業務用の、各種情報を高密度に記録可能な高密度光ディスクに利用可能であり、更に光ディスクに係るレコーダ又はプレーヤ等に利用可能である。また、例えば民生用或いは業務用の各種コンピュータ機器に搭載される又は各種コンピュータ機器に接続可能な、情報記録媒体、記録又は再生装置等にも利用可能である。
【図１】
2005034109.tif 000003
【図２】
2005034109.tif 000004
【図３】
2005034109.tif 000005
【図４】
2005034109.tif 000006
【図５】
2005034109.tif 000007
【図６】
2005034109.tif 000008
【図７】
2005034109.tif 000009
【図８】
2005034109.tif 000010
【図９】
2005034109.tif 000011
【図１０】
2005034109.tif 000012
【図１１】
2005034109.tif 000013
【手続補正書】
【提出日】平成17年4月28日(2005.4.28)
【手続補正１】
【補正対象書類名】特許請求の範囲
【補正対象項目名】全文
【補正方法】変更
【補正の内容】
【書類名】請求の範囲
【請求項１】設定値に応じた記録パワーのレーザ光を情報記録媒体に照射して記録情報を記録する記録手段と、
前記設定値を変化させながら記録された試し記録情報を再生することにより、前記設定値と再生品質との相関を表す相関情報を作成するとともに、所望の再生品質であるターゲット再生品質が得られる基準設定値を求める算出手段と、
前記基準設定値を用いて記録された記録情報を再生することにより、少なくとも前記再生品質を測定可能な情報量毎に前記再生品質を測定する測定手段と、
前記測定手段が測定した再生品質と、前記ターゲット再生品質とが異なる場合、前記相関情報に基づいて前記基準設定値の修正量を求め、且つ該修正量に基づく修正後の設定値が新たな基準設定値となるように前記基準設定値を修正する修正手段と
を有することを特徴とする情報記録装置。
【請求項２】前記修正手段は、所定の修正量ずつ段階的に前記基準設定値を修正することを特徴とする請求の範囲第１項に記載の情報記録装置。
【請求項３】前記所定の修正量の大きさは可変であることを特徴とする請求の範囲第２項に記載の情報記録装置。
【請求項４】前記修正手段は、前記基準設定値の修正量が所定量以下のときは、前記基準設定値を修正しないことを特徴とする請求の範囲第１項に記載の情報記録装置。
【請求項５】（削除）
【請求項６】前記再生品質は、アシンメトリ値、ジッタ値、再生エラーレートの少なくとも１つを含む再生品質であることを特徴とする請求の範囲第１項に記載の情報記録装置。
【請求項７】前記測定手段は、測定直前に前記記録手段によって記録された記録情報の再生品質を測定することを特徴とする請求の範囲第１項に記載の情報記録装置。
【請求項８】前記算出手段により求められた相関情報および基準設定値の情報のうち少なくとも一方を前記情報記録媒体に記録するように前記記録手段を制御する制御手段をさらに備えることを特徴とする請求の範囲第１項に記載の情報記録装置。
【請求項９】設定値に応じた記録パワーのレーザ光を情報記録媒体に照射して記録情報を記録する記録工程と、
前記設定値を変化させながら記録された試し記録情報を再生することにより、前記設定値と再生品質との相関を表す相関情報を作成するとともに、所望の再生品質であるターゲット再生品質が得られる基準設定値を求める算出工程と、
前記基準設定値を用いて記録された記録情報を再生することにより、少なくとも前記再生品質を測定可能な情報量毎に前記再生品質を測定する測定工程と、
前記測定工程において測定された再生品質と、前記ターゲット再生品質とが異なる場合、前記相関情報に基づいて、前記基準設定値の修正量を求め、且つ該修正量に基づく修正後の設定値が新たな基準設定値となるように前記基準設定値を修正する修正工程と
を有することを特徴とする情報記録方法。
【請求項１０】請求の範囲第１項に記載の情報記録装置と、
前記情報記録媒体から前記記録された情報を再生する再生手段と
を備えることを特徴とする情報記録再生装置。
【請求項１１】請求の範囲第９項に記載の情報記録方法と、
前記情報記録媒体から前記記録された情報を再生する再生工程と
を備えることを特徴とする情報記録再生方法。
【請求項１２】請求の範囲第１項に記載の情報記録装置に備えられたコンピュータを制御する記録制御用のコンピュータプログラムであって、該コンピュータを、前記記録手段、前記算出手段、前記測定手段及び前記修正手段のうち少なくとも一部として機能させることを特徴とするコンピュータプログラム。
【請求項１３】請求の範囲第１０項に記載の情報記録再生装置に備えられたコンピュータプログラムを制御する記録再生制御用のコンピュータプログラムであって、該コンピュータを、前記情報記録装置及び前記再生手段のうち少なくとも一部として機能させることを特徴とするコンピュータプログラム。
【請求項１４】前記情報量は、ＥＣＣブロックを基準単位とする大きさを有していることを特徴とする請求の範囲第１項に記載の情報記録装置。
【請求項１５】前記情報量は、前記記録情報が記録される時間を基準とする大きさを有していることを特徴とする請求の範囲第１項に記載の情報記録装置。




【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
設定値に応じた記録パワーのレーザ光を情報記録媒体に照射して当該情報記録媒体に記録情報を記録する記録手段と、
前記設定値を変化させながら記録された試し記録情報を再生することにより、前記設定値と再生品質との相関を表す相関情報を作成するとともに、所望の再生品質であるターゲット再生品質が得られる基準設定値を求める算出手段と、
前記基準設定値を用いて記録された記録情報を再生することにより、少なくとも前記再生品質を測定可能な情報量毎に前記再生品質を測定する測定手段と、
前記測定手段が測定した再生品質と、前記ターゲット再生品質とが異なる場合、前記相関情報に基づいて前記基準設定値の修正量を求め、且つ該修正量に基づく修正後の設定値が新たな基準設定値となるように前記基準設定値を修正する修正手段と
を有することを特徴とする情報記録装置。
【請求項２】
前記修正手段は、所定の修正量ずつ段階的に前記基準設定値を修正することを特徴とする請求項１に記載の情報記録装置。
【請求項３】
前記所定の修正量の大きさは可変であることを特徴とする請求項２に記載の情報記録装置。
【請求項４】
前記修正手段は、前記基準設定値の修正量が所定量以下のときは、前記基準設定値を修正しないことを特徴とする請求項１に記載の情報記録装置。
【請求項５】
前記再生品質は、アシンメトリ値、ジッタ値、再生エラーレートの少なくとも１つを含む再生品質であることを特徴とする請求項１に記載の情報記録装置。
【請求項６】
前記測定手段は、測定直前に前記記録手段によって記録された記録情報の再生品質を測定することを特徴とする請求項１に記載の情報記録装置。
【請求項７】
前記算出手段により求められた相関情報および基準設定値の情報のうち少なくとも一方を前記情報記録媒体に記録するように前記記録手段を制御する制御手段をさらに備えることを特徴とする請求項１に記載の情報記録装置。
【請求項８】
前記情報量は、ＥＣＣにブロックを基準単位とする大きさを有していることを特徴とする請求項１に記載の情報記録装置。
【請求項９】
前記情報量は、前記記録情報が記録される時間を基準とする大きさを有していることを特徴とする請求項１に記載の情報記録装置。
【請求項１０】
設定値に応じた記録パワーのレーザ光を情報記録媒体に照射して当該情報記録媒体に記録情報を記録する記録工程と、
前記設定値を変化させながら記録された試し記録情報を再生することにより、前記設定値と再生品質との相関を表す相関情報を作成するとともに、所望の再生品質であるターゲット再生品質が得られる基準設定値を求める算出工程と、
前記基準設定値を用いて記録された記録情報を再生することにより、少なくとも前記再生品質を測定可能な情報量毎に前記再生品質を測定する測定工程と、
前記測定工程において測定された再生品質と、前記ターゲット再生品質とが異なる場合、前記相関情報に基づいて、前記基準設定値の修正量を求め、且つ該修正量に基づく修正後の設定値が新たな基準設定値となるように前記基準設定値を修正する修正工程と
を有することを特徴とする情報記録方法。
【請求項１１】
請求項１に記載の情報記録装置と、
前記情報記録媒体から前記記録された情報を再生する再生手段と
を備えることを特徴とする情報記録再生装置。
【請求項１２】
請求項１０に記載の情報記録方法と、
前記情報記録媒体から前記記録された情報を再生する再生工程と
を備えることを特徴とする情報記録再生方法。
【請求項１３】
請求項１に記載の情報記録装置に備えられたコンピュータを制御する記録制御用のコンピュータプログラムであって、該コンピュータを、前記記録手段、前記算出手段、前記測定手段及び前記修正手段のうち少なくとも一部として機能させることを特徴とするコンピュータプログラム。
【請求項１４】
請求項１１に記載の情報記録再生装置に備えられたコンピュータプログラムを制御する記録再生制御用のコンピュータプログラムであって、該コンピュータを、前記情報記録装置及び前記再生手段のうち少なくとも一部として機能させることを特徴とするコンピュータプログラム。
【国際調査報告】
2005034109.tif 000014
2005034109.tif 000015
2005034109.tif 000016
2005034109.tif 000017